(57)【特許請求の範囲】
【請求項１】
端末タッチパネルのエッジ領域のエッジタッチ情報を識別するステップと、
前記エッジタッチ情報に対応するタッチ形状に基づいて、前記エッジタッチ情報が手の平によるタッチ操作の生じるエッジパームタッチ情報を含むか否かを判断するステップと、
前記エッジタッチ情報が前記エッジパームタッチ情報を含むと、前記エッジパームタッチ情報を遮断するステップとを含み、
前記エッジパームタッチ情報を遮断するステップは、
前記エッジパームタッチ情報が前記エッジ領域に位置する対応サブ領域を特定するステップと、
前記対応サブ領域のタッチ入力機能をオフするステップとを含む
ことを特徴とするタッチ入力制御方法。
【請求項２】
前記端末タッチパネルのエッジ領域のエッジタッチ情報を識別するステップは、
ユーザが前記端末タッチパネルに対するタッチ操作を実行すると、前記タッチ操作の生じるタッチ情報を取得するステップと、
前記タッチ情報に対応する位置座標に基づいて、前記タッチ操作が前記タッチパネルのエッジ領域に位置するか否かを判断するステップと、
前記タッチ操作が前記タッチパネルのエッジ領域に位置すると、前記タッチ情報が前記エッジタッチ情報であると特定するステップとを含む
ことを特徴とする請求項１に記載の方法。
【請求項３】
前記エッジタッチ情報に対応するタッチ形状に基づいて、前記エッジタッチ情報が手の平によるタッチ操作の生じるエッジパームタッチ情報を含むか否かを判断するステップは、
前記エッジ領域におけるタッチ操作によるタッチポイントの分布により、前記エッジタッチ情報に対応するタッチ形状を取得するステップと、
前記エッジタッチ情報に対応するタッチ形状が予め設定した手の平のタッチ形状にマッチングするか否かを判断するステップと、
前記エッジタッチ情報に対応するタッチ形状が前記手の平のタッチ形状にマッチングすると、前記エッジタッチ情報が前記エッジパームタッチ情報を含むと特定するステップとを含む
ことを特徴とする請求項１に記載の方法。
【請求項４】
前記エッジパームタッチ情報が前記エッジ領域に位置する対応サブ領域を特定するステップは、
前記エッジパームタッチ情報における位置座標と前記エッジ領域の各サブ領域の座標範囲とを比較するステップと、
前記位置座標が所属する座標範囲に対応する第１サブ領域を前記対応サブ領域として特定するステップとを含む
ことを特徴とする請求項１に記載の方法。
【請求項５】
前記エッジパームタッチ情報が前記エッジ領域に位置する対応サブ領域を特定するステップは、さらに、
前記第１サブ領域に関連する、端末を持つときに前記手の平によるタッチ操作に対応する指タッチ操作が所在するサブ領域である第２サブ領域を前記対応サブ領域として特定するステップを含む
ことを特徴とする請求項４に記載の方法。
【請求項６】
前記エッジパームタッチ情報が前記エッジ領域に位置する対応サブ領域を特定するステップは、
前記タッチパネルに対する前記手の平によるタッチ操作の持続時間が所定時間を超えるか否かを判断するステップと、
前記持続時間が所定時間を超えると、前記エッジパームタッチ情報が前記エッジ領域に位置する対応サブ領域を特定するステップとを含む
ことを特徴とする請求項１に記載の方法。
【請求項７】
さらに、前記手の平によるタッチ操作の過程において生じる前記エッジパームタッチ情報以外のパームタッチ情報を排除するステップとを含む
ことを特徴とする請求項１に記載の方法。
【請求項８】
さらに、端末を持つときに前記タッチパネルにおける指タッチ操作領域を検出するステップと、
前記指タッチ操作領域で仮想タッチ制御インターフェースを出力するステップとを含む
ことを特徴とする請求項１〜７の何れか１項に記載の方法。
【請求項９】
端末タッチパネルのエッジ領域のエッジタッチ情報を識別するための識別ユニットと、
前記エッジタッチ情報に対応するタッチ形状に基づいて、前記エッジタッチ情報が手の平によるタッチ操作の生じるエッジパームタッチ情報を含むか否かを判断するための判断ユニットと、
前記エッジタッチ情報が前記エッジパームタッチ情報を含むと、前記エッジパームタッチ情報を遮断するための遮断ユニットと、を含み、
前記遮断ユニットは、
前記エッジパームタッチ情報が前記エッジ領域に位置する対応サブ領域を特定するための特定サブユニットと、
前記対応サブ領域のタッチ入力機能をオフするためのオフサブユニットと、を含む
ことを特徴とするタッチ入力制御装置。
【請求項１０】
前記識別ユニットは、
ユーザが前記端末タッチパネルに対するタッチ操作を実行すると、前記タッチ操作の生じるタッチ情報を取得するための情報取得サブユニットと、
前記タッチ情報に対応する位置座標に基づいて前記タッチ操作が前記タッチパネルのエッジ領域に位置するか否かを判断するための位置判断サブユニットと、
前記タッチ操作が前記タッチパネルのエッジ領域に位置すると、前記タッチ情報が前記エッジタッチ情報であると特定するための情報特定サブユニットと、を含む
ことを特徴とする請求項９に記載の装置。
【請求項１１】
前記判断ユニットは、
前記エッジ領域におけるタッチ操作によるタッチポイントの分布により、前記エッジタッチ情報に対応するタッチ形状を取得するための形状取得サブユニットと、
前記エッジタッチ情報に対応するタッチ形状が予め設定した手の平のタッチ形状にマッチングするか否かを判断するための形状マッチングサブユニットと、
前記エッジタッチ情報に対応するタッチ形状が前記手の平のタッチ形状にマッチングすると、前記エッジタッチ情報が前記エッジパームタッチ情報を含むと特定するためのマッチング特定サブユニットと、を含む
ことを特徴とする請求項９に記載の装置。
【請求項１２】
前記特定サブユニットは、
前記エッジパームタッチ情報における位置座標と前記エッジ領域の各サブ領域の座標範囲とを比較するための位置比較サブユニットと、
前記位置座標が所属する座標範囲に対応する第１サブ領域を前記対応サブ領域として特定するための第１サブ領域特定サブユニットと、を含む
ことを特徴とする請求項９に記載の装置。
【請求項１３】
前記特定サブユニットは、さらに、
前記第１サブ領域に関連する、端末を持つときに前記手の平によるタッチ操作に対応する指タッチ操作が所在するサブ領域である第２サブ領域を前記対応サブ領域として特定するための第２サブ領域特定サブユニットを含む
ことを特徴とする請求項１２に記載の装置。
【請求項１４】
前記特定サブユニットは、
前記タッチパネルに対する前記手の平によるタッチ操作の持続時間が所定時間を超えるか否かを判断するための時間判断サブユニットと、
前記持続時間が所定時間を超えると、前記エッジパームタッチ情報が前記エッジ領域に位置する対応サブ領域を特定するためのサブ領域特定サブユニットと、を含む
ことを特徴とする請求項９に記載の装置。
【請求項１５】
さらに、前記手の平によるタッチ操作の過程において生じる前記エッジパームタッチ情報以外のパームタッチ情報を排除するための排除ユニットを含む
ことを特徴とする請求項９に記載の装置。
【請求項１６】
さらに、端末を持つときに前記タッチパネルにおける指タッチ操作領域を検出するための検出ユニットと、
前記指タッチ操作領域で仮想タッチ制御インターフェースを出力するための出力ユニットと、を含む
ことを特徴とする請求項９〜１５の何れか１項に記載の装置。
【請求項１７】
プロセッサと、
プロセッサが実行可能な命令を記憶するためのメモリと、を含み、
前記プロセッサは、
端末タッチパネルのエッジ領域のエッジタッチ情報を識別し、
前記エッジタッチ情報に対応するタッチ形状に基づいて、前記エッジタッチ情報が手の平によるタッチ操作の生じるエッジパームタッチ情報を含むか否かを判断し、
前記エッジタッチ情報が前記エッジパームタッチ情報を含むと、前記エッジパームタッチ情報が前記エッジ領域に位置する対応サブ領域を特定し、前記対応サブ領域のタッチ入力機能をオフするように配置される
ことを特徴とするタッチ入力制御装置。
【請求項１８】
プロセッサに実行されることにより、請求項１乃至８のいずれか１項に記載のタッチ入力制御方法を実現することを特徴とするプログラム。
【請求項１９】
請求項１８に記載のプログラムが記録された記録媒体。
【発明の詳細な説明】
【相互参照】
【０００１】
本願は、出願番号がＣＮ２０１４１０２１９１８８．９であって、出願日が２０１４年５月２２日である中国特許出願に基づき優先権を主張し、当該中国特許出願のすべての内容を本願に援用する。
【技術分野】
【０００２】
本開示は、スマート端末技術分野に関し、特にタッチ入力制御方法、タッチ入力制御装置、プログラム及び記録媒体に関する。
【背景技術】
【０００３】
スマート端末の発展及び普及に伴い、端末は、通常にＴＰ（ＴｏｕｃｈＰａｎｅｌ）を用いてユーザにタッチ入力機能を提供する。ＴＰ内に容量タッチセンサーが集積されることで、端末にマルチポイントタッチのヒューマンコンピュータインタラクションを実現させる。ＴＰは、一般的に言われるタッチパネルである。ユーザのタッチ体験を豊富にするために、端末タッチパネルの枠が段々細くなってきて、ユーザにより広いタッチ範囲を提供する。しかしながら、端末タッチパネルの枠が細くなることに伴って、ユーザが端末を持つときに、指以外の部位（例えば、親指が手の平に接続する手の付け根の部分）がタッチパネルに触れやすく、ＴｏｕｃｈＩＣ（Ｔｏｕｃｈ Ｉｎｔｅｇｒａｔｅｄ Ｃｉｒｃｕｉｔ，タッチ集積回路）チップが誤操作の生じたタッチ情報を取得して端末に報告してしまう。
【０００４】
従来技術において、タッチパネル上にユーザの誤操作しやすい領域に対して設定しておき、ユーザがこれらの領域をタッチした場合に、ＴｏｕｃｈＩＣは、これらの領域から取得したタッチ情報を遮断するようにする。しかしながら、予め誤操作防止領域を設定することは、誤操作により生じるタッチ情報を回避することができるが、それに対して、ユーザの指がこれらの領域に対して正常に操作する時に生じるタッチ情報も遮断し、タッチ入力の正確性が高くない。
【発明の概要】
【０００５】
本開示は、従来技術において誤操作の生じるタッチ情報を回避するときに、正常操作のタッチ情報を遮断しやすく、タッチ入力の正確性が高くない問題を解決するように、タッチ入力制御方法、タッチ入力制御装置、プログラム及び記録媒体を提供する。
【０００６】
本開示実施例の第１方面によると、タッチ入力制御方法を提供し、当該タッチ入力制御方法は、
端末タッチパネルのエッジ領域のエッジタッチ情報を識別するステップと、
前記エッジタッチ情報に対応するタッチ形状に基づいて、前記エッジタッチ情報が手の平によるタッチ操作の生じるエッジパームタッチ情報を含むか否かを判断するステップと、
前記エッジタッチ情報が前記エッジパームタッチ情報を含むと、前記エッジパームタッチ情報を遮断するステップとを含む。
【０００７】
選択的に、前記端末タッチパネルのエッジ領域のエッジタッチ情報を識別するステップは、
ユーザが前記端末タッチパネルに対するタッチ操作を実行すると、前記タッチ操作の生じるタッチ情報を取得するステップと、
前記タッチ情報に対応する位置座標に基づいて、前記タッチ操作が前記タッチパネルのエッジ領域に位置するか否かを判断するステップと、
前記タッチ操作が前記タッチパネルのエッジ領域に位置すると、前記タッチ情報が前記エッジタッチ情報であると特定するステップとを含む。
【０００８】
選択的に、前記エッジタッチ情報に対応するタッチ形状に基づいて、前記エッジタッチ情報が手の平によるタッチ操作の生じるエッジパームタッチ情報を含むか否かを判断するステップは、
前記エッジ領域におけるタッチ操作によるタッチポイントの分布により、前記エッジタッチ情報に対応するタッチ形状を取得するステップと、
前記エッジタッチ情報に対応するタッチ形状が予め設定した手の平のタッチ形状にマッチングするか否かを判断するステップと、
前記エッジタッチ情報に対応するタッチ形状が前記手の平のタッチ形状にマッチングすると、前記エッジタッチ情報が前記エッジパームタッチ情報を含むと特定するステップとを含む。
【０００９】
選択的に、前記エッジパームタッチ情報を遮断するステップは、
前記エッジパームタッチ情報が前記エッジ領域に位置する対応サブ領域を特定するステップと、
前記対応サブ領域のタッチ入力機能をオフするステップとを含む。
【００１０】
選択的に、前記エッジパームタッチ情報が前記エッジ領域に位置する対応サブ領域を特定するステップは、
前記エッジパームタッチ情報における位置座標と前記エッジ領域の各サブ領域の座標範囲とを比較するステップと、
前記位置座標が所属する座標範囲に対応する第１サブ領域を前記対応サブ領域として特定するステップとを含む。
【００１１】
選択的に、前記エッジパームタッチ情報が前記エッジ領域に位置する対応サブ領域を特定するステップは、さらに、
前記第１サブ領域に関連する、端末を持つときに前記手の平によるタッチ操作に対応する指タッチ操作が所在するサブ領域である第２サブ領域を前記対応サブ領域として特定するステップを含む。
【００１２】
選択的に、前記エッジパームタッチ情報が前記エッジ領域に位置する対応サブ領域を特定するステップは、
前記タッチパネルに対する前記手の平によるタッチ操作の持続時間が所定時間を超えるか否かを判断するステップと、
前記持続時間が所定時間を超えると、前記エッジパームタッチ情報が前記エッジ領域に位置する対応サブ領域を特定するステップとを含む。
【００１３】
選択的に、さらに、前記手の平によるタッチ操作の過程において生じる前記エッジパームタッチ情報以外のパームタッチ情報を排除するステップとを含む。
【００１４】
選択的に、端末を持つときに前記タッチパネルにおける指タッチ操作領域を検出するステップと、
前記指タッチ操作領域で仮想タッチ制御インターフェースを出力するステップとをさらに含む。
【００１５】
本開示実施例の第２方面によると、タッチ入力制御装置を提供し、当該タッチ入力制御装置は、
端末タッチパネルのエッジ領域のエッジタッチ情報を識別するための識別ユニットと、
前記エッジタッチ情報に対応するタッチ形状に基づいて、前記エッジタッチ情報が手の平によるタッチ操作の生じるパームタッチ情報を含むか否かを判断するための判断ユニットと、
前記エッジタッチ情報が前記エッジパームタッチ情報を含むと、前記エッジパームタッチ情報を遮断するための遮断ユニットと、を含む。
【００１６】
選択的に、前記識別ユニットは、
ユーザが前記端末タッチパネルに対するタッチ操作を実行すると、前記タッチ操作の生じるタッチ情報を取得するための情報取得サブユニットと、
前記タッチ情報に対応する位置座標に基づいて前記タッチ操作が前記タッチパネルのエッジ領域に位置するか否かを判断するための位置判断サブユニットと、
前記タッチ操作が前記タッチパネルのエッジ領域に位置すると、前記タッチ情報が前記エッジタッチ情報であると特定するための情報特定サブユニットと、を含む。
【００１７】
選択的に、前記判断ユニットは、
前記エッジ領域におけるタッチ操作によるタッチポイントの分布により、前記エッジタッチ情報に対応するタッチ形状を取得するための形状取得サブユニットと、
前記エッジタッチ情報に対応するタッチ形状が予め設定した手の平のタッチ形状にマッチングするか否かを判断するための形状マッチングサブユニットと、
前記エッジタッチ情報に対応するタッチ形状が前記手の平のタッチ形状にマッチングすると、前記エッジタッチ情報が前記エッジパームタッチ情報を含むと特定するためのマッチング特定サブユニットと、を含む。
【００１８】
選択的に、前記遮断ユニットは、
前記エッジパームタッチ情報が前記エッジ領域に位置する対応サブ領域を特定するための特定サブユニットと、
前記対応サブ領域のタッチ入力機能をオフするためのオフサブユニットと、を含む。
【００１９】
選択的に、前記特定サブユニットは、
前記エッジパームタッチ情報における位置座標と前記エッジ領域の各サブ領域の座標範囲とを比較するための位置比較サブユニットと、
前記位置座標が所属する座標範囲に対応する第１サブ領域を前記対応サブ領域として特定するための第１サブ領域特定サブユニットと、を含む。
【００２０】
選択的に、前記特定サブユニットは、さらに、
前記第１サブ領域に関連する、端末を持つときに前記手の平によるタッチ操作に対応する指タッチ操作が所在するサブ領域である第２サブ領域を前記対応サブ領域として特定するための第２サブ領域特定サブユニットを含む。
【００２１】
選択的に、前記特定サブユニットは、
前記タッチパネルに対する前記手の平によるタッチ操作の持続時間が所定時間を超えるか否かを判断するための時間判断サブユニットと、
前記持続時間が所定時間を超えると、前記エッジパームタッチ情報が前記エッジ領域に位置する対応サブ領域を特定するためのサブ領域特定サブユニットと、を含む。
【００２２】
選択的に、さらに、前記手の平によるタッチ操作の過程において生じる前記エッジパームタッチ情報以外のパームタッチ情報を排除するための排除ユニットを含む。
【００２３】
選択的に、さらに、端末を持つときに前記タッチパネルにおける指タッチ操作領域を検出するための検出ユニットと、
前記指タッチ操作領域で仮想タッチ制御インターフェースを出力するための出力ユニットと、を含む。
【００２４】
本開示実施例の第３方面によると、タッチ入力制御装置を提供し、当該タッチ入力制御装置は、
プロセッサと、
プロセッサが実行可能な命令を記憶するためのメモリと、を含み、
前記プロセッサは、
端末タッチパネルのエッジ領域のエッジタッチ情報を識別し、
前記エッジタッチ情報に対応するタッチ形状に基づいて、前記エッジタッチ情報が手の平によるタッチ操作の生じるエッジパームタッチ情報を含むか否かを判断し、
前記エッジタッチ情報が前記エッジパームタッチ情報を含むと、前記エッジパームタッチ情報を遮断するように配置される。
本開示実施例の第４方面によると、プロセッサに実行されることにより、前記タッチ入力制御方法を実現するプログラムを提供する。
本開示実施例の第５方面によると、前記プログラムを記録した記録媒体を提供する。
【００２５】
本開示の実施例が提供する技術案は、以下の有益な効果を含む。
本開示は、タッチパネルのエッジ領域のエッジタッチ情報を識別した後に、エッジタッチ情報に対応するタッチ形状に基づいて、エッジタッチ情報に含まれるエッジパームタッチ情報を判断することができ、よって、手の平によるタッチ操作の生じる誤入力タッチ情報のみを遮断し、指がエッジ領域に対するタッチ操作の生じる正しいタッチ情報を保留することにより、タッチ入力の正確性を向上させる。
【００２６】
本開示は、エッジパームタッチ情報を遮断した後に、エッジパーム情報がエッジ領域に対応サブ領域を取得でき、対応サブ領域のタッチ入力機能を的確にオフし、タッチ入力の正確性をさらに向上させ、対応サブ領域は、エッジパームタッチ情報の位置座標が所属する座標範囲に対応する第１サブ領域を含んでもよく、第１サブ領域に関連する手の平によるタッチ操作に対応する指タッチ操作が所在する第２サブ領域を含んでもよく、対応サブ領域をユーザが端末を持つ習慣に基づいて柔軟に設定できることで、タッチ入力の正確性を向上させるとともに、ユーザの体験を豊富にすることができる。
【００２７】
本開示は、タッチパネルにおけるエッジパームタッチ情報の持続時間が所定時間を超えると、エッジパームタッチ情報がユーザが端末を持つことで生じたタッチ情報であると特定し、そのとき、さらに、タッチ入力機能をオフする必要がある対応サブ領域を特定し、端末を持つときにのみ、対応サブ領域を識別し、これにより、サブ領域のタッチ入力機能をオフする正確性を向上させる。
【００２８】
以上の一般的な記述及び以下の詳細な記述は、例示的なものに過ぎず、本開示を限定するものではないと理解すべきである。
【図面の簡単な説明】
【００２９】
ここでの図面は、明細書の一部分として明細書全体を構成することにより、本開示に合致する実施例を例示するとともに、本開示の原理を解釈するためのものである。
【００３０】
【図１】一例示的な実施例に係るタッチ入力制御方法を示すフローチャートである。
【図２Ａ】一例示的な実施例に係る他のタッチ入力制御方法を示すフローチャートである。
【図２Ｂ】一例示的な実施例に係る端末タッチパネル領域の区画を模式的に示す図である。
【図２Ｃ】一例示的な実施例に係るユーザが端末を持つことを模式的に示す図である。
【図２Ｄ】一例示的な実施例に係るタッチ情報所在領域を模式的に示す図である。
【図２Ｅ】一例示的な実施例に係る他のタッチ情報所在領域を模式的に示す図である。
【図２Ｅ】一例示的な実施例に係る他のタッチ情報所在領域を模式的に示す図である。
【図２Ｇ】一例示的な実施例に係るタッチパネルにおける仮想タッチ制御インターフェースを模式的に示す図である。
【図３】一例示的な実施例に係るタッチ入力制御装置を示すブロック図である。
【図４】一例示的な実施例に係る他のタッチ入力制御装置を示すブロック図である。
【図５】一例示的な実施例に係る他のタッチ入力制御装置を示すブロック図である。
【図６】一例示的な実施例に係る他のタッチ入力制御装置を示すブロック図である。
【図７】一例示的な実施例に係る他のタッチ入力制御装置を示すブロック図である。
【図８】一例示的な実施例に係る他のタッチ入力制御装置を示すブロック図である。
【図９】一例示的な実施例に係る他のタッチ入力制御装置を示すブロック図である。
【図１０】一例示的な実施例に係る他のタッチ入力制御装置を示すブロック図である。
【図１１】一例示的な実施例に係るタッチ入力制御装置に用いられる構造を模式的に示す図である。
【発明を実施するための形態】
【００３１】
ここで、図面に示された例示的な実施例を詳細に説明する。以下の内容において、図面を言及するとき、特に説明しない限り、異なる図面における同じ数字が同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の方面と一致する装置及び方法の例にすぎない。
【００３２】
本開示で使用する用語は特定の実施例を記述するためのものであり、本開示を限定するものではない。本開示と添付の請求の範囲で使用される単数で表す「１種」、「前記」、及び「当該」は、文の前後から他の意味を明らかに表示する場合以外、複数の形態も含む。また、理解すべきことは、本出願で使用する「及び／又は」という用語は、１つ或いは複数の関連する列挙項目の何れか或いはすべての組み合わせを含む。
【００３３】
理解すべきことは、本開示で第１、第２、第３等の用語で各種の情報を記述するが、これらの情報はこれらの用語に限定されない。これらの用語は、同じタイプの情報を区分けするためのものにすぎない。例えば、本開示の範囲を超えない限り、第１情報は、第２情報と称されてもよく、また、第２情報は、第１情報と称されてもよい。場合により、ここで使用する単語「例えば……と」は、「……のとき」、「……の場合」或いは「特定に応じて」のように解釈される。
【００３４】
図１に示すように、図１は、一例示的な実施例に係るタッチ入力制御方法を示すフローチャートであり、当該タッチ入力制御方法は、端末に用いられ、以下のステップを含む。
【００３５】
ステップ１０１において、端末タッチパネルのエッジ領域のエッジタッチ情報を識別する。
【００３６】
本開示における端末は、タッチ入力をサポートするあらゆるスマート端末であってもよく、端末は、容量式タッチパネル（ＴＰとも称する）を設定することによりマルチポイントのタッチ入力をサポートでき、容量式タッチパネルは、ガラスパネル表面に特殊の、透明な金属導電体を貼り付け、ユーザが金属層においてタッチ操作を行う場合、操作部位のタッチポイントのタッチパネルにおけるコンデンサが変化して、当該コンデンサと接続された発振器の周波数が変化し、端末内のＴｏｕｃｈＩＣチップが周波数の変化を測定することで、タッチ位置を特定でき、これにより、タッチ情報を取得する。
【００３７】
通常、端末を使用する場合、ユーザは、片方の手で端末を持ち、もう片方の手でタッチ入力を行うが、端末タッチパネルの枠が段々細くなるに伴って、ユーザが端末を持つとき、手の平の部分（例えば、親指が手の平に接続する手の付け根部分）がタッチパネルのエッジ領域に触りやすい。本開示において、予めタッチパネル上で通常にタッチパネルの４辺における狭い領域であるエッジ領域を区画し、エッジ領域以外の部分が中心領域となる。
【００３８】
本実施例において、ユーザが端末タッチパネルでタッチ操作を実行する場合、前記タッチ操作の生じる、通常にタッチ入力の位置座標（横座標と縦座標を含む）、タッチ面積の大きさ、タッチ状態（タッチ、持ち上げ、スライド）等を含むタッチ情報を取得することができ、端末は、前記タッチ情報に対応する位置座標に基づいて、前記タッチ操作が前記タッチパネルのエッジ領域の範囲内にあるか否かを判断し，前記タッチ操作が前記タッチパネルのエッジ領域にあると、前記タッチ情報がエッジタッチ情報であると特定する。
【００３９】
ステップ１０２において、前記エッジタッチ情報に対応するタッチ形状に基づいて、前記エッジタッチ情報が手の平によるタッチ操作の生じるエッジパームタッチ情報を含むか否かを判断する。
【００４０】
本実施例において、タッチパネルのエッジ領域に対するタッチ操作がタッチパネルにおいて該当するタッチポイントを形成し、これらのタッチポイントの分布により前記エッジタッチ情報に対応するタッチ形状を取得でき、そして前記エッジタッチ情報に対応するタッチ形状が予め設定した手の平のタッチ形状にマッチングするか否かを判断し、前記エッジタッチ情報に対応するタッチ形状が前記手の平のタッチ形状にマッチングすると、前記エッジタッチ情報が前記エッジパームタッチ情報を含むと特定できる。
【００４１】
ステップ１０３において、前記エッジタッチ情報が前記エッジパームタッチ情報を含むと、前記エッジパームタッチ情報を遮断する。
【００４２】
本実施例において、エッジパームタッチ情報を遮断する場合に、エッジパームタッチ情報が前記エッジ領域上に対応するサブ領域を特定でき、そして、前記対応するサブ領域のタッチ入力機能をオフする。
【００４３】
上記実施例は、エッジタッチ情報に対応するタッチ形状に基づいて、エッジタッチ情報に含まれるエッジパームタッチ情報を判断することができ、よって、手の平によるタッチ操作の生じる誤入力タッチ情報のみを遮断し、指がエッジ領域に対するタッチ操作の生じる正しいタッチ情報を保留することにより、タッチ入力の正確性を向上させる。
【００４４】
図２Ａに示すように、図２Ａは、例示的な実施例に係る他のタッチ入力制御方法を示すフローチャートであり、当該タッチ入力制御方法は、端末に用いられ、以下のステップを含む。
【００４５】
ステップ２０１において、端末タッチパネルのエッジ領域のエッジタッチ情報を識別する。
【００４６】
通常、端末を使用する場合、ユーザは、片方の手で端末を持ち、もう片方の手でタッチ入力を行うが、端末タッチパネルの枠が段々細くなるに伴って、ユーザが端末を持つとき、手の平の部分（例えば、親指が手の平に接続する手の付け根部分、以下、手の付け根部分と略称する）がタッチパネルのエッジ領域に触りやすい。そのため、本開示において、予めタッチパネル上で通常にタッチパネルの４辺における狭い領域であるエッジ領域を区画し、エッジ領域以外の部分が中心領域と称する。図２Ｂを参照し、本開示は、一例示的な実施例に係る端末タッチパネル領域の区画を模式的に示す図であり、図２Ｂにおいて、端末タッチパネルをエッジ領域及び中心領域に区画でき、なお、手の平が端末を持つときにエッジ領域に触れる可能性のある位置に基づいて、エッジ領域を、さらに六つのサブ領域に区画し、それぞれサブ領域Ａ、サブ領域Ｂ、サブ領域Ｃ、サブ領域Ｄ、サブ領域Ｅ及びサブ領域Ｆである。
【００４７】
本実施例において、ユーザが端末タッチパネルでタッチ操作を実行する場合、前記タッチ操作の生じる、通常にタッチ入力の位置座標（横座標と縦座標を含む）、タッチ面積の大きさ、タッチ状態（タッチ、持ち上げ、スライド）等を含むタッチ情報を取得することができ、端末は、前記タッチ情報に対応する位置座標に基づいて、前記タッチ操作が前記タッチパネルのエッジ領域内にあるか否かを判断し，前記タッチ操作が前記タッチパネルのエッジ領域内にあると、前記タッチ情報がエッジタッチ情報であると特定できる。図２Ｂを参照し、端末は、タッチ情報に対応する位置座標に基づいてタッチ操作がサブ領域Ａからサブ領域Ｆまでの何れかのサブ領域に位置すると判断した場合、タッチ情報がエッジタッチ情報であると特定できる。
【００４８】
ステップ２０２において、前記エッジタッチ情報に対応するタッチ形状に基づいて、前記エッジタッチ情報が手の平によるタッチ操作の生じるエッジパームタッチ情報を含むか否かを判断し、前記エッジタッチ情報がエッジパームタッチ情報を含むと、ステップ２０３を実行し、前記エッジタッチ情報がエッジパームタッチ情報を含まないと、ステップ２０１に戻る。
【００４９】
本実施例において、タッチパネルのエッジ領域に対するタッチ操作がタッチパネルにおいて該当するタッチポイントを形成し、これらのタッチポイントの分布により前記エッジタッチ情報に対応するタッチ形状を取得でき、そして前記エッジタッチ情報に対応するタッチ形状が予め設定した手の平のタッチ形状にマッチングするか否かを判断し、前記エッジタッチ情報に対応するタッチ形状が前記手の平のタッチ形状にマッチングすると、前記エッジタッチ情報が前記エッジパームタッチ情報を含むと特定できる。
【００５０】
図２Ｃを参照し、本開示は、一例示的な実施例に係るユーザが端末を持つことを模式的に示す図である。図２Ｃにおいて、ユーザは、左手で端末を持ち、その手の付け根部分がタッチパネルのエッジ領域に触れ、エッジ領域でタッチポイントを形成し、タッチポイントの分布の輪郭が図２Ｃにおいて手の付け根部分のあたりで破線で示した楕円形であり、親指の指先部分が中心領域でタッチポイントを形成し、タッチポイントの分布の輪郭が図２Ｃにおいて指先部分のあたりで破線で示した円形であり、これにより分かるように、タッチ情報に対応する形状に基づいて、少なくとも手の平によるタッチ操作と指タッチ操作とを区別することができる。
【００５１】
図２Ｄを参照し、一例示的な実施例に係るタッチ情報所在領域を模式的に示す図である。図２Ｃに示した手の平が端末を持つ持ち方により、図２Ｄにおいて、対応的に、端末は、タッチパネルのエッジ領域に対して手の付け根部分でタッチするときに対応する楕円形タッチ形状、及びタッチパネル中心領域に対して親指の指先部分でタッチするときに対応する円形タッチ形状を取得する。そのため、本開示は、手の異なる部分がタッチパネルで操作するときに対応する異なるタッチ形状に基づいて、予め、手の平のタッチ形状を図２Ｄに示した楕円形に、指タッチ形状を図２Ｄに示した円形に設定することができる。
【００５２】
これから分かるように、ユーザが図２Ｃに示した方式で端末を持つ場合、図２Ｃ及び図２Ｄの例を参照し、端末がエッジタッチ情報に対応するタッチ形状を取得した後に、当該タッチ形状と予め設定したタッチ形状とを比較して、当該エッジタッチ情報のタイプを特定でき、図２Ｄを参照し、端末により取得されたエッジタッチ情報に対応するタッチ形状の大きさ及び形状が予め設定された楕円形マッチングすると、取得されたエッジタッチ情報がエッジパームタッチ情報であると特定できる。
【００５３】
図２Ｄと異なり、他の可能なケースにおいて、ユーザが端末を持つ習慣が異なることによって、手の付け根部分がエッジ領域をタッチする以外、親指の指先部分もエッジ領域をタッチする場合があり、図２Ｅに示すように、一例示的な実施例に係る他のエッジタッチ情報所在領域を模式的に示す図であり、図２Ｄと異なる点は、図２Ｅにおいて、親指の指先部分がタッチするときに対応する円形タッチ形状がエッジ領域内に位置することにある。
【００５４】
ステップ２０３において、前記エッジパームタッチ情報を遮断する。
【００５５】
ステップ２０２の判断結果、エッジタッチ情報がエッジパームタッチ情報を含むとなると、エッジパームタッチ情報を直接に遮断し、即ち、当該エッジパームタッチ情報を報告しない。図２Ｄ及び図２Ｅを参照し、端末は、図におけるタッチパネルのエッジ領域において楕円形で示されるエッジパームタッチ情報を遮断でき、異なる点は、図２Ｄにおいて、親指指先が操作するタッチ情報が中心領域内に位置し、図２Ｅにおいて、親指指先が操作するタッチ情報がエッジ領域内に位置し、いずれの端末を持つ場合であっても、本開示実施例を適用することでエッジパームタッチ情報のみを遮断することができ、タッチパネル上の任意の領域内にある正常タッチ入力情報も遮断しない。
【００５６】
説明すべきことは、ユーザが端末を持つ過程において、手の付け根部分で端末のエッジ領域を直接に持つ可能性があり、識別したエッジパームタッチ情報を報告せず、当該エッジパームタッチ情報を遮断するが、手の付け根部分がタッチパネルにおいてある程度の距離をスライドした後に端末エッジを持つ場合、スライド過程において手の付け根部分がタッチパネルの中心領域に触れることによりパームタッチ情報を生じる可能性があり、これらのパームタッチ情報がタッチ操作にとって無用なタッチ情報であるため、これらのパームタッチ情報の状態情報を報告し、これにより、前記手の平によるタッチ操作の過程で生じる、前記エッジパームタッチ情報以外の他のパームタッチ情報も排除できる。なお、状態情報は、パームタッチ情報における位置座標持ち上げ情報、或は位置座標がタッチパネルから離れる情報を含む。
【００５７】
ステップ２０４において、前記タッチパネルに対する前記手の平によるタッチ操作の持続時間が所定時間を超えるか否かを判断し、前記持続時間が所定時間を超えると、ステップ２０５を実行し、前記持続時間が所定時間を超えないと、ステップ２０１に戻る。
【００５８】
本実施例において、ユーザが端末を持つときに、手の平がエッジ領域を長い時間タッチする状態を考慮したが、ユーザが端末に対して他のタッチ操作を行うとき、手の平がたまにエッジ領域に触れる可能性もあり、本ステップにおいて、さらに、タッチパネルにおけるパームタッチ情報の持続時間が所定時間を超えるか否かを判断し、当該所定時間は、手の平で端末を持つときにあり得る最少時間により定義され、これにより、端末を持つことで生じた前記パームタッチ情報であるか否かを特定し、その後にエッジ領域における対応するサブ領域のタッチ機能をオフするか否かを決定する。
【００５９】
ステップ２０５において、前記エッジパームタッチ情報が前記エッジ領域に位置する対応サブ領域を特定する。
【００６０】
本開示において、前記エッジパームタッチ情報の位置座標と前記エッジ領域の各サブ領域の座標範囲とを比較することで、前記位置座標が所属する座標範囲に対応する第１サブ領域を前記対応サブ領域として特定し、前記第１サブ領域に関連する、端末を持つときに前記手の平によるタッチ操作に対応する指タッチ操作が所在するサブ領域である第２サブ領域を前記対応サブ領域として特定する。説明すべきことは、以上に説明した対応サブ領域を特定する方式の他に、実際に適用するとき、必要に応じて他の方式を用いて前記対応サブ領域を特定してもよく、本開示は、限定しない。
【００６１】
図２Ｂから図２Ｅを参照し、エッジ領域における楕円形のエッジパームタッチ情報の持続時間が所定時間を超えると、図２Ｂにおいてエッジ領域を区画したサブ領域から分かるように、位置座標に基づいて、当該エッジパームタッチ情報の対応サブ領域がサブ領域Ｃである。
【００６２】
他の選択可能な例は、図２Ｆを参照し、一例示的な実施例に係る他のタッチ情報所在領域を模式的に示す図である。図２Ｃを参照し、左手で端末を持つとき、図２Ｃに示すように、手の平の部分が端末の左側エッジ領域を握る以外、左手の他の４本の指が端末の右側エッジ領域を握る可能性があり、そのため、エッジパームタッチ情報に対応するサブ領域Ｃを識別した後、サブ領域Ｃに対向する、手の平によるタッチ操作に対応する指タッチ操作が所在するサブ領域であるサブ領域Ｅを直接に取得して関連するサブ領域とすることができる。
【００６３】
ステップ２０６において、前記対応サブ領域のタッチ入力機能をオフして、現在のフローを終了する。
【００６４】
上記実施例から分かるように、タッチパネルのエッジ領域のエッジタッチ情報を識別した後に、エッジタッチ情報に対応するタッチ形状に基づいて、エッジタッチ情報に含まれるエッジパームタッチ情報を判断することができ、よって、手の平によるタッチ操作の生じる誤入力タッチ情報のみを遮断し、指がエッジ領域に対するタッチ操作の生じる正しいタッチ情報を保留することにより、タッチ入力の正確性を向上させる。また、エッジパームタッチ情報を遮断した後に、エッジパーム情報がエッジ領域に対応サブ領域を取得でき、対応サブ領域のタッチ入力機能を的確にオフし、タッチ入力の正確性をさらに向上させ、ユーザが端末を持つ習慣に基づいて柔軟に設定できることで、タッチ入力の正確性を向上させるとともに、ユーザの体験を豊富にすることができる。また、端末を持つときにのみ、対応サブ領域を識別し、これにより、サブ領域のタッチ入力機能をオフする正確性を向上させる。
【００６５】
前記図１或は図２に示した実施例をもとにして、他の選択可能な実施例において、図２Ｄから図２Ｆを参照し、親指タッチ操作がタッチパネルにおけるタッチ操作領域を検出した後に、図２Ｄに示した円形領域のように、ユーザが親指により各種の入力操作を行い、タッチパネル全体に対するタッチ入力制御を実現するように、当該領域の付近に仮想タッチ制御インターフェースを表示することができる。図２Ｇを参照し、一例示的な実施例に係るタッチパネル上仮想タッチ制御インターフェースを模式的に示す図である。図２Ｇにおいて、親指の指先の付近にあるタッチ操作領域内に仮想タッチ制御アイコンを表示し、当該仮想タッチ制御アイコンとして、スライド制御ボタンアイコンを挙げる。説明すべきことは、図２Ｇは、親指タッチ操作領域で仮想タッチ制御インターフェースを出力する例をのみ示したが、実際に適用するとき、タッチ面積、タッチ形状等の情報に基づいて、ユーザが端末を持つときにタッチパネルにおける任意の指タッチ操作領域を検出するとともに、上記検出した領域でタッチ制御インターフェースを出力することができ、本開示の実施例は、これらを限定しない。
【００６６】
前記タッチ入力制御方法の実施例に対応して、本開示は、さらに、タッチ入力制御装置及び端末の実施例を提供する。
【００６７】
図３に示すように、図３は、本開示の一例示的な実施例に係るタッチ入力制御装置を示すブロック図であり、前記装置は、識別ユニット３１、判断ユニット３２、及び遮断ユニット３３を含む。
【００６８】
なお、前記識別ユニット３１は、端末タッチパネルのエッジ領域のエッジタッチ情報を識別するように配置される。
【００６９】
前記判断ユニット３２は、前記エッジタッチ情報に対応するタッチ形状に基づいて、前記エッジタッチ情報が手の平によるタッチ操作の生じるパームタッチ情報を含むか否かを判断するように配置される。
【００７０】
前記遮断ユニット３３は、前記エッジタッチ情報が前記エッジパームタッチ情報を含むと、前記エッジパームタッチ情報を遮断するように配置される。
【００７１】
上記実施例において、タッチパネルのエッジ領域のエッジタッチ情報を識別した後に、エッジタッチ情報に対応するタッチ形状に基づいて、エッジタッチ情報に含まれるエッジパームタッチ情報を判断することができ、よって、手の平によるタッチ操作の生じる誤入力タッチ情報のみを遮断し、指がエッジ領域に対するタッチ操作の生じる正しいタッチ情報を保留することにより、タッチ入力の正確性を向上させる。
【００７２】
図４に示すように、図４は、本開示の一例示的な実施例に係る他のタッチ入力制御装置を示すブロック図であり、当該実施例は、前記図３に示す実施例をもとにして、前記識別ユニット３１は、情報取得サブユニット３１１、位置判断サブユニット３１２、及び情報特定サブユニット３１３を含む。
【００７３】
なお、前記情報取得サブユニット３１１は、ユーザが前記端末タッチパネルでタッチ操作を行う場合、前記タッチ操作の生じるタッチ情報を取得するように配置される。
前記位置判断サブユニット３１２は、前記タッチ情報に対応する位置座標に基づいて、前記タッチ操作が前記タッチパネルのエッジ領域に位置するか否かを判断するように配置される。
【００７４】
前記情報特定サブユニット３１３は、前記タッチ操作が前記タッチパネルのエッジ領域に位置する場合、前記タッチ情報が前記エッジタッチ情報であると特定するように配置される。
【００７５】
図５に示すように、図５は、本開示の一例示的な実施例に係る他のタッチ入力制御装置を示すブロック図であり、当該実施例は、前記図３に示す実施例をもとにして、前記判断ユニット３２は、形状取得サブユニット３２１、形状マッチングサブユニット３２２、及びマッチング特定サブユニット３２３を含む。
【００７６】
なお、前記形状取得サブユニット３２１は、前記エッジ領域におけるタッチ操作のタッチポイントの分布に基づいて、前記エッジタッチ情報に対応するタッチ形状を取得するように配置される。
【００７７】
前記形状マッチングサブユニット３２２は、前記エッジタッチ情報に対応するタッチ形状が予め設定した手の平のタッチ形状にマッチングするか否かを判断するように配置される。
【００７８】
前記マッチング特定サブユニット３２３は、前記エッジタッチ情報に対応するタッチ形状が前記手の平のタッチ形状にマッチングする場合、前記エッジタッチ情報が前記エッジパームタッチ情報を含むと特定するように配置される。
【００７９】
説明すべきことは、上記図５に示した装置の実施例における判断ユニット３２の構造は、前記図４に示した装置の実施例に含まれてもよく、本開示ではそれを限定しない。
【００８０】
上記実施例において、タッチポイントの分布によりエッジタッチ情報に対応するタッチ形状を特定することができ、これにより、エッジタッチ情報に含まれるエッジパームタッチ情報を判断でき、よって、手の平によるタッチ操作の生じる誤入力タッチ情報のみを遮断し、指がエッジ領域に対するタッチ操作の生じる正しいタッチ情報を保留することにより、タッチ入力の正確性を向上させる。
【００８１】
図６に示すように、図６は、本開示の一例示的な実施例に係るタッチ入力制御装置ブロック図であり、当該実施例は、前記図３に示す実施例をもとにして、前記遮断ユニット３３は、特定サブユニット３３１及びオフサブユニット３３２を含む。
【００８２】
なお、前記特定サブユニット３３１は、前記エッジパームタッチ情報が前記エッジ領域に位置する対応サブ領域を特定するように配置される。
前記オフサブユニット３３２は、前記対応サブ領域のタッチ入力機能をオフするように配置される。
【００８３】
説明すべきことは、上記図６に示した装置の実施例における特定サブユニット３３１及びオフサブユニット３３２は、前記図４或は図５に示した装置の実施例に含まれてもよく、本開示は、それを限定しない。
【００８４】
上記実施例において、エッジパームタッチ情報を遮断するとき、エッジパーム情報がエッジ領域における対応サブ領域を取得し、対応サブ領域のタッチ入力機能を的確にオフし、タッチ入力の正確性をさらに向上させる。
【００８５】
図７に示すように、図７は、本開示の一例示的な実施例に係る他のタッチ入力制御装置を示すブロック図であり、当該実施例は、前記図６に示した実施例をもとにして、前記特定サブユニット３３１は、さらに、位置比較サブユニット３３１１、第１サブ領域特定サブユニット３３１２と第２サブ領域特定サブユニット３３１３を含む。
【００８６】
なお、前記位置比較サブユニット３３１１は、前記エッジパームタッチ情報における位置座標と前記エッジ領域の各サブ領域の座標範囲とを比較するように配置される。
前記第１サブ領域特定サブユニット３３１２は、前記位置座標が所属する座標範囲に対応する第１サブ領域を前記対応サブ領域として特定するように配置される。
【００８７】
前記第２サブ領域特定サブユニット３３１３は、前記第１サブ領域に関連する、端末を持つときに前記手の平によるタッチ操作に対応する指タッチ操作が所在するサブ領域である第２サブ領域を前記対応サブ領域として特定するように配置される。
【００８８】
説明すべきことは、例示の便宜上、上記図７に示す実施例における特定サブユニット３３１は、同時に第１サブ領域特定サブユニット３３１２、及び第２サブ領域特定サブユニット３３１３を含むが、実際に適用するとき、必要に応じて上記いずれかのサブユニットのみを含んでもよく、本実施例はそれを限定しない。
【００８９】
上記実施例において、対応サブ領域は、エッジパームタッチ情報の位置座標が所属する座標範囲に対応する第１サブ領域を含んでもよく、第１サブ領域に関連する手の平によるタッチ操作に対応する指タッチ操作が所在する第２サブ領域を含んでもよく、対応サブ領域をユーザが端末を持つ習慣に基づいて柔軟に設定できることで、タッチ入力の正確性を向上させるとともに、ユーザの体験を豊富にすることができる。
【００９０】
図８に示すように、図８は、本開示の一例示的な実施例に係る他のタッチ入力制御装置を示すブロック図であり、当該実施例は、前記図６或は図７に示す実施例をもとにして、前記特定サブユニット３３１は、時間判断サブユニット３３１４、及びサブ領域特定サブユニット３３１５を含む。
【００９１】
なお、前記時間判断サブユニット３３１４は、前記タッチパネルに対する前記手の平によるタッチ操作の持続時間が所定時間を超えるか否かを判断するように配置される。
【００９２】
前記サブ領域特定サブユニット３３１５は、前記持続時間が所定時間を超えると、前記エッジパームタッチ情報が前記エッジ領域に位置する対応サブ領域を特定するように配置される。
【００９３】
上記実施例において、タッチパネルにおけるエッジパームタッチ情報の持続時間が所定時間を超えると、エッジパームタッチ情報がユーザが端末を持つことで生じたタッチ情報であると特定し、そのとき、さらに、タッチ入力機能をオフする必要がある対応サブ領域を特定し、端末を持つときにのみ、対応サブ領域を識別し、これにより、サブ領域のタッチ入力機能をオフする正確性を向上させる。
【００９４】
図９に示すように、図９は、本開示の一例示的な実施例に係る他のタッチ入力制御装置を示すブロック図であり、当該実施例は、前記図３に示す実施例をもとにして、前記装置は、さらに、前記手の平によるタッチ操作の過程において生じた前記エッジパームタッチ情報以外のパームタッチ情報を排除するように配置される排除ユニット３４を含む。
【００９５】
説明すべきことは、上記図９に示した装置の実施例における排除ユニット３４は、前記図４から図８に示した、いずれかの装置の実施例に含まれてもよく、本開示は、それを限定しない。
【００９６】
図１０に示すように、図１０は、本開示の一例示的な実施例に係る他のタッチ入力制御装置を示すブロック図であり、当該実施例は、前記図３に示す実施例をもとにして、前記装置は、さらに検出ユニット３５、及び出力ユニット３６を含む。
【００９７】
なお、前記検出ユニット３５は、端末を持つときに前記タッチパネルにおける指タッチ操作領域を検出するように配置される。
【００９８】
前記出力ユニット３６は、前記指タッチ操作領域で仮想タッチ制御インターフェースを出力するように配置される。
【００９９】
説明すべきことは、上記図１０に示した装置の実施例における検出ユニット３５及び出力ユニット３６は、前記図４から図９に示した、いずれかの装置の実施例に含まれてもよく、本開示は、それを限定しない。
【０１００】
上記装置における各ユニットの機能及び作用は、具体的に、上記方法における対応ステップの実行過程を参照し、ここでは、説明省略する。
【０１０１】
装置の実施例は、基本的に方法の実施例に対応するものであるため、関連のところは方法の実施例における対応の説明を参照すればよい。以上に記述した装置の実施例は、模式的なものであるにすぎず、前記分離な部品として説明したユニットは、物理的に分けられてもよく分けられなくてもよく、ユニットとして示した部品は、物理ユニットであってもよく物理ユニットでなくてもよく、同じ位置に位置してもよく、複数のネットワークユニットに配置されてもよい。実際のニーズに応じて、その中の一部或は全部のモジュールを選択して本開示の目的を実現することができる。当業者は、創造的な労働をしなくても、理解して実施することができる。
【０１０２】
対応的に、本開示は、さらに、タッチ入力制御装置を提供し、前記タッチ入力制御装置は、プロセッサと、プロセッサが実行可能な命令を記憶するためのメモリとを含み、前記プロセッサは、端末タッチパネルのエッジ領域のエッジタッチ情報を識別し、前記エッジタッチ情報に対応するタッチ形状に基づいて、前記エッジタッチ情報が手の平によるタッチ操作の生じるエッジパームタッチ情報を含むが否かを判断し、前記エッジタッチ情報が前記エッジパームタッチ情報を含むと、前記エッジパームタッチ情報を遮断するように配置される。
【０１０３】
対応的に、本開示は、さらに、端末を提供し、前記端末は、メモリ及び１つ或は複数のプログラムを含み、なお、１つ或は複数のプログラムは、メモリに記憶され、且つ１つ或は複数のプロセッサにより実行される。前記１つ或は複数のプログラムは、端末タッチパネルのエッジ領域のエッジタッチ情報を識別する操作と、前記エッジタッチ情報に対応するタッチ形状に基づいて、前記エッジタッチ情報が手の平によるタッチ操作の生じるエッジパームタッチ情報を含むが否かを判断する操作と、前記エッジタッチ情報が前記エッジパームタッチ情報を含むと、前記エッジパームタッチ情報を遮断する操作とを行うための命令を含む。
【０１０４】
図１１に示すように、図１１は、本開示の一例示的な実施例に係るタッチ入力制御装置１１００の他の構造を模式的に示す図である。例えば、装置１１００は、携帯電話、コンピューター、デジタル放送端末、メッセージ送受信デバイス、ゲームコンソール、タブレットデバイス、医療機器、フィットネス機器、パーソナルデジタルアシスタント等であってもよい。
【０１０５】
図１１を参照して、装置１１００は、プロセスアセンブリ１１０２、メモリ１１０４、電源アセンブリ１１０６、マルチメディアアセンブリ１１０８、オーディオアセンブリ１１１０、入出力（Ｉ／Ｏ）インターフェイス１１１２、センサアセンブリ１１１４、及び通信アセンブリ１１１６のような一つ以上のアセンブリを含んでよい。
【０１０６】
プロセスアセンブリ１１０２は、一般的には装置１１００の全体の操作を制御するものであり、例えば、表示、電話呼び出し、データ通信、カメラ操作、及び記録操作と関連する操作を制御する。プロセスアセンブリ１１０２は、一つ以上のプロセッサ１１２０を含み、これらによって命令を実行することにより、上記の方法の全部、或は一部のステップを実現するようにしてもよい。なお、プロセスアセンブリ１１０２は、一つ以上のモジュールを含み、これらによってプロセスアセンブリ１１０２と他のアセンブリの間のインタラクションを容易にするようにしてもよい。例えば、プロセスアセンブリ１１０２は、マルチメディアモジュールを含み、これらによってマルチメディアアセンブリ１１０８とプロセスアセンブリ１１０２の間のインタラクションを容易にするようにしてもよい。
【０１０７】
メモリ１１０４は、各種類のデータを記憶することにより装置１１００の操作を支援するように構成される。これらのデータの例は、装置１１００において操作されるいずれのアプリケーションプログラム又は方法の命令、連絡対象データ、電話帳データ、メッセージ、画像、ビデオ等を含む。メモリ１１０４は、いずれの種類の揮発性メモリ、不揮発性メモリ記憶デバイスまたはそれらの組み合わせによって実現されてもよく、例えば、ＳＲＡＭ（ＳｔａｔｉｃＲａｎｄｏｍ Ａｃｃｅｓｓ Ｍｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ ＰｒｏｇｒａｍｍａｂｌｅＲｅａｄ Ｏｎｌｙ Ｍｅｍｏｒｙ）、ＰＲＯＭ（Ｐｒｏｇｒａｍｍａｂｌｅ ＲＯＭ）、ＲＯＭ（ＲｅａｄＯｎｌｙ Ｍｅｍｂｅｒ）、磁気メモリ、フラッシュメモリ、磁気ディスク、或いは光ディスクである。
電源アセンブリ１１０６は、装置１１００の多様なアセンブリに電力を供給する。電源アセンブリ１１０６は、電源管理システム、一つ以上の電源、及び装置１１００のための電力の生成、管理及び割り当てに関連する他のアセンブリを含んでもよい。
【０１０８】
マルチメディアアセンブリ１１０８は、前記装置１１００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ１１０８は、一つのフロントカメラ、及び／又はリアカメラを含む。装置１１００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１０９】
オーディオアセンブリ１１１０は、オーディオ信号を入出力するように構成されてもよい。例えば、オーディオアセンブリ１１１０は、一つのマイク（ＭＩＣ）を含み、装置１１００が、例えば呼出しモード、記録モード、及び音声認識モード等の操作モードにある場合、マイクは外部のオーディオ信号を受信することができる。受信されたオーディオ信号は、さらにメモリ１１０４に記憶されたり、通信アセンブリ１１１６を介して送信されたりされる。上記の実施例において、オーディオアセンブリ１１１０は、オーディオ信号を出力するための一つのスピーカーをさらに含む。
【０１１０】
Ｉ／Ｏインターフェイス１１１２は、プロセスアセンブリ１１０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１１１】
センサアセンブリ１１１４は、装置１１００に各方面の状態に対する評価を提供するための一つ以上のセンサを含む。例えば、センサアセンブリ１１１４は、装置１１００のＯＮ／ＯＦＦ状態、装置１１００のディスプレイとキーパッドのようなアセンブリの相対的な位置決めを検出できる。また、例えば、センサアセンブリ１１１４は、装置１１００、或は装置１１００の一つのアセンブリの位置変更、ユーザと装置１１００とが接触しているか否か、装置１１００の方位、又は加速／減速、装置１１００の温度の変化を検出できる。センサアセンブリ１１１４は、何れの物理的接触がない状態にて付近の物体の存在を検出するための近接センサを含んでもよい。センサアセンブリ１１１４は、撮影アプリケーションに適用するため、ＣＭＯＳ、又はＣＣＤ図像センサのような光センサを含んでもよい。上記の実施例において、当該センサアセンブリ１１１４は、加速度センサ、ジャイロスコープセンサ、磁気センサ、圧力センサ、及び温度センサをさらに含んでもよい。
【０１１２】
通信アセンブリ１１１６は、装置１１００と他の機器の間に有線、又は无線形態の通信を提供する。装置１１００は、例えばＷｉＦｉ、２Ｇ、３Ｇ、或はこれらの組み合わせのような、通信規格に基づいた无線ネットワークに接続されてもよい。一つの例示的な実施例において、通信アセンブリ１１１６は、放送チャンネルを介して外部の放送管理システムからの放送信号、又は放送に関連する情報を受信する。一つの例示的な実施例において、前記通信アセンブリ１１１６は、近距離無線通信（ＮＦＣ）モジュールをさらに含むことにより、近距離通信を推進するようにする。例えば、ＮＦＣモジュールは、ＲＦＩＤ（ＲａｄｉｏＦｒｅｑｕｅｎｃｙ ＩＤｅｎｔｉｆｉｃａｔｉｏｎ）技術、ＩｒＤＡ（ＩｎｆｒａｒｅｄＤａｔａ Ａｓｓｏｃｉａｔｉｏｎ）技術、ＵＷＢ（Ｕｌｔｒａ  ＷｉｄｅＢａｎｄ）技術、ＢＴ（Ｂｌｕｅｔｏｏｔｈ）技術、他の技術に基づいて実現できる。
【０１１３】
例示的な実施例において、装置１１００は、一つ以上のＡＳＩＣ（ＡｐｐｌｉｃａｔｉｏｎＳｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１１４】
例示的な実施例において、さらに、命令を含む非一時的なコンピュータで読み取り可能な記憶媒体、例えば命令を含むメモリ１１０４を提供しており、装置１１００のプロセッサ１１２０により上記命令を実行して上記方法を実現する。例えば、前記非一時的なコンピュータで読み取り可能な記憶媒体は、ＲＯＭ、ＲＡＭ（Ｒａｎｄｏｍ−ＡｃｃｅｓｓＭｅｍｏｒｙ）、ＣＤ−ＲＯＭ（Ｃｏｍｐａｃｔ Ｄｉｓｃ ＲＯＭ）、磁気テープ、フロッピーディスク、光データ記憶デバイス等である。
【０１１５】
非一時的なコンピュータで読み取り可能な記憶媒体に記憶された指令が端末のプロセッサによって実行される場合、端末にタッチ入力制御方法を実行させ、前記方法は、端末タッチパネルのエッジ領域のエッジタッチ情報を識別するステップと、前記エッジタッチ情報に対応するタッチ形状に基づいて、前記エッジタッチ情報が手の平によるタッチ操作の生じるエッジパームタッチ情報を含むか否かを判断するステップと、前記エッジタッチ情報が前記エッジパームタッチ情報を含むと、前記エッジパームタッチ情報を遮断するステップとを含む。
【０１１６】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づき、且つ本開示において公開されていない本技術分野においての公知常識又は慣用技術手段を含む。明細書及び実施例は、例示的なものを開示しており、本発明の保護範囲と主旨は、特許請求の範囲に記述される。
【０１１７】
本発明は、上記において開示された構成又は図面に示した構造に限定されるものではなく、本発明の範囲内であれば、様々な補正又は変更を行うことができる。本発明の範囲は、特許請求の範囲により制限される。
【図１】
0006033502.tif 000002
【図２Ａ】
0006033502.tif 000003
【図２Ｂ】
0006033502.tif 000004
【図２Ｃ】
0006033502.tif 000005
【図２Ｄ】
0006033502.tif 000006
【図２Ｅ】
0006033502.tif 000007
【図２Ｆ】
0006033502.tif 000008
【図２Ｇ】
0006033502.tif 000009
【図３】
0006033502.tif 000010
【図４】
0006033502.tif 000011
【図５】
0006033502.tif 000012
【図６】
0006033502.tif 000013
【図７】
0006033502.tif 000014
【図８】
0006033502.tif 000015
【図９】
0006033502.tif 000016
【図１０】
0006033502.tif 000017
【図１１】
0006033502.tif 000018